(57)【要約】  支持面に対して取り付けられ、支持面において、人が移動したと判定するための少なくとも一つのロードセル素子（12）を備える患者監視システムである。前記移動は、人が支持面における基準位置にいる場合に、ロードセル素子（12）によって測定された基準（31）と、ロードセル素子によって測定された、前記基準に対するその後の荷重の変動とに基づいて判定される。前記荷重の変動が所定閾値を超えると、警報（18）が起動される。ユーザは患者の容態によって警報システムの閾値を設定することができる。例えば、いずれの移動も知らせなければならない場合がある一方で、主要な移動だけに注目する場合もある。前記患者監視システムは、看護婦や介護者により患者を監視する柔軟な手段を提供することができる。
2010510849.tif 000002
【特許請求の範囲】
【請求項１】
少なくとも一つのロードセル素子を有する支持面において、人が移動したと判定することにより実施される患者監視方法であって、前記移動が、人が支持面の基準位置にいる場合に、ロードセル素子によって測定された基準と、ロードセル素子によって測定された、前記基準に対するその後の荷重の変動とに基づいて判定される患者監視方法。
【請求項２】
前記基準に対する前記荷重の変動が所定の閾値を超えた場合に、前記移動が判定される、請求項1に記載の患者監視方法。
【請求項３】
前記所定の閾値が調整可能である、請求項1または2に記載の患者監視方法。
【請求項４】
前記荷重の判定と、ロードセル素子で測定された前記荷重の変動に対する監視により、前記移動が監視される、請求項1から3のいずれかに記載の患者監視方法。
【請求項５】
前記移動が前記荷重と前記荷重基準との差により判定される、請求項1から3のいずれかに記載の患者監視方法。
【請求項６】
請求項1から5のいずれかに記載の患者監視方法をプロセシング・ユニットに実行させる命令が格納されているコンピュータが読み取り可能な媒体。
【請求項７】
支持面に対して取り付けられ、支持面において人が移動したと判定するための移動検出システムであって、
支持面に対して取り付けられ、前記支持面における荷重を測定するための少なくとも一つのロードセル素子と、
前記人が支持面の基準位置にいる場合に、ロードセル素子によって測定された荷重基準と、ロードセル素子によって測定された荷重との間の関係に基づいて移動を判定するための処理部材と
を含む移動検出システム。
【請求項８】
前記ロードセル素子が前記支持面を支持するフレームに取り付けられる、請求項7に記載の移動検出システム。
【発明の詳細な説明】
【技術分野】
【０００１】
本発明は、支持面（例えば、病院用ベッド）において人が移動したことを検知することによって操作される患者監視システムに関する。負傷や罹病した成人や子供を対象とする病院、あるいは初老や高齢者を対象とする老人ホームにおいて、一般には、ベッドにおける監視対象の活動の度合いを把握し、患者の移動が注意すべき度合いに達したことを介護者に警告することが望まれる。このような情報を介護者に提供することにより、患者への介護の效率や品質を改善することができる。
【背景技術】
【０００２】
病院において発生する多くの事故の一つとして、患者がベッドから這い出ようとして、ベッドから落ちたり、ベッドからうまく這い出しても、その後に躓いたり倒れたりして負傷することがある。老人ホームやその他の類似する介護施設においても、本質的に同じ配慮が適用される。また、病弱な高齢者や子供がベッドから離れようとしていることを知りたい家庭には、多様な状況が見られる。
【発明の概要】
【発明が解決しようとする課題】
【０００３】
本発明は、患者の移動に関する連続的な情報を提供し、それを所定の移動パターンと比較して、患者の移動が所定のパターを超えた場合、それを介護者に知らせることにより、介護者による患者の介護に寄与することができる。
【０００４】
上記所定の移動パターンは、基準値を一定の範囲と比較することにより患者が移動したと判定する簡単な関数とすることができ、患者の移動がこの範囲を超えると、介護者に知らせる。
【課題を解決するための手段】
【０００５】
したがって、本発明は、少なくとも一つのロードセル素子を有する支持面にいて、人が移動したと判定することにより実行される患者監視方法であって、前記移動は、人が支持面の基準位置にいる場合に、ロードセル素子によって測定された基準と、ロードセル素子によって測定された、前記基準に対するその後の荷重の変動とに基づいて判定される患者監視方法を含む。
【０００６】
好ましくは、基準に対する荷重の変動が所定の閾値を超えた時に移動したと判定する。これにより、所定の移動が起こった時に、望ましくは、警報で介護者に知らせることができ、これにより、介護者は、昏睡から回復している患者や目覚めて動き始めた患者に対して監視を行うことができる。
【０００７】
好ましくは、所定の閾値が調整可能である。これにより、判定すべき移動のタイプと所定の移動が起こったことを示す警報の感度を調整することができる。本発明は、介護者や看護婦が、いずれの患者に対しても口を出す前に、適切な移動の度合いを決めることができるという利点がある。
【０００８】
好ましくは、荷重の測定と、ロードセル素子で測定された荷重の変動に対する監視により、移動を監視する。
【０００９】
好ましい実施形態において、移動は荷重と荷重基準との間の差により判定される。
【００１０】
荷重と荷重基準との間の差は、患者の移動を示す。
【００１１】
本発明にかかる他の側面は、プロセシング・ユニットに上記方法を実行させる命令が格納されており、好ましくは、上記の方法がデータ処理システムに組み込まれる、コンピュータが読み取り可能な媒体に関するものである。
【００１２】
好ましい実施形態において、本発明は支持面に対して取り付けられ、支持面において、人が移動したと判定するための移動検出システムであって、支持面に対して取り付けられ、支持面における荷重を測定するための少なくとも一つのロードセル素子と、人が支持面の基準位置にいる場合に、ロードセル素子によって測定された荷重基準と、ロードセル素子によって測定された荷重との関係に基づいて移動したと判定するための処理部材とを含む移動検出システムに関するものである。
【００１３】
好ましくは、ロードセル素子が前記支持面を支持するフレームに取り付けられる。
【図面の簡単な説明】
【００１４】
【図１】本発明を具体化する、病院用ベッドに組み込まれた患者監視システムを示すブロック図である。
【図２】支持面における人の移動の検出方法を示すフローチャートである。
【図３ａ】人が支持面にいる場合に、支持面における荷重を示すグラフである。
【図３ｂ】人が支持面にいる場合に、支持面における荷重を示すグラフである。
【発明を実施するための最良の形態】
【００１５】
以下、図面を参照しながら実施例によって本発明を説明する。
図1に示すように、ベッドは患者を支持する矩形のフレーム10を含む。フレーム10自体は本発明の一部ではなく従来のものであるので、詳細な説明を省略する。フレーム10は一般に、患者の寝る所であるマットレスパッドを支持するものである。
【００１６】
本実施例では、フレーム10のそれぞれのコーナーにある4つのロードセル素子12により従来の方法で支持されるベッドフレーム10に関して本発明を説明したが、本発明はその他のベッドフレームとロードセル素子の配置にも同様に適用される。それぞれのロードセル素子12は支持されている重量を示す電気信号を発生し、前記重量は、フレーム10と、マットレスパッドと、フレームに支持される患者のいずれの重量を含む。ロードセル素子で測定されたそれぞれの重量値を合計することにより、ロードセル素子に支持される構造の合計重量が得られる。従来の秤量システムとロードセル素子12の中の少なくとも一つを前記患者監視システムに用いることができることは、本発明によい。これにより、従来の秤量システムがさらに患者監視システムとして用いられる。しかし、前記患者監視システムはこのような秤量システムを必要とせず、独立のシステムとして操作されてもよい。
【００１７】
図2は本発明による支持面（例えば、ベッド10における少なくとも一つのロードセル素子12を含む支持面）において、人が移動したと判定することによって患者を監視する方法を示すフローチャートである。
【００１８】
前記方法はコンピュータにより実施され、しかも秤量システムのマイクロプロセッサ16が存在する場合、同マイクロプロセッサ16により実行されることができ、存在しない場合は、定数、通信とハードウェア・ドライバーを初期化する初期化工程21からスタートする。
【００１９】
前記方法は人がベッドにおいて基準位置にいる場合に、ロードセル素子12によって荷重基準を測定する工程31を含む。荷重基準を測定するロードセル素子から基準信号を受信することにより荷重基準を取得する。
【００２０】
患者に対する監視は、ロードセル素子12によって現在の荷重を測定する工程91と、現在の荷重と格納された荷重基準との間の変動に基づいてベッドにおいて、人が移動したのを明らかにする工程70と、前記判定された移動に基づいてベッドの人が安全であるかどうかを判定する工程30とを含む。人が移動すべきではない時に移動したり、移動しすぎたり、ベッドから離れようとしたりする場合があり得るが、現在の荷重と、荷重の基準との間の差が所定の閾値を超えたかどうかを判定することにより、危険点が決定され、所定の閾値を超えると、警報/警告18が起動し、閾値を超えるまで監視を繰り返す。
【００２１】
ロードセル素子は表面における荷重の測定に適用されるいずれの部材であってもよく、例えば、圧電センサ、ひずみゲージやその類似のものが挙げられる。好ましい実施形態においては、患者支持面の一つの末端に2つのロードセル素子を隔てて、それぞれのロードセル素子における荷重の変動を順次に監視し、監視時間はそれぞれ1秒とする。前記ロードセル素子の中のいずれかにおける荷重の変動が所定の閾値を超えると、警報が起動する。警報システム18は、監視システムと通信するために入出力装置（例えば、キーボードやコントロールパネル17）を用いてもよい。ベッドにいる人の移動を監視する必要がある場合に、ユーザはコントロールパネル17を介して警報システムを起動させる。
【００２２】
ユーザは患者を基準位置に位置させ、また図1に示すように、ロードセル素子12から荷重基準を受信する。そして、ユーザは患者の容態によって警報システムの閾値を設定することができる。例えば、いかなる移動も知らせなければならない場合も、主要な移動だけに注目する場合もある。警報システムは起動されると、図1に示すように監視を自動的に開始し、また患者の移動が設定された感度レベルを超えると、警報が起動する。警報18は、例えば、介護者に注意を促すスピーカーやランプであってもよい。警報は支持面に設置されてもよく、また支持面から離れた場所、例えば、中央ナースステーションに設置されてもよい。
【００２３】
前記患者監視システムは、患者を柔軟に監視する手段を看護婦や介護者に提供することができる。看護婦や介護者は患者に対する適切な移動の度合いを評価し、コントロールパネル17に適当な閾値を入力することができる。これにより、看護婦は、患者がほとんど移動しない設定から、患者がベッド上の位置を変えてベッド制御、電話、テレビを操作するためにベッドの周囲に自由に移動する設定まで、その範囲内のいずれの閾値も設定することができ、しかも患者がベッドから離れた時だけ警報18が鳴る。本発明は看護婦に対し、それぞれの患者を評価する柔軟性と、患者に対して口を出す前に適切な移動の度合いを設定する柔軟性を持たせることを許容する。患者の治療と健康状態によっては、患者がいつ僅かに移動したか、いつ体の一部を移動したか、いつベッドで回転や上下に移動したか、又は患者がベッド内や周囲で体を揺動したり登ったりして最後にベッドから離れたかを看護婦や介護者が知りたい場合がある。
【００２４】
図3aと図3bは人が支持面にいる場合に、ロードセル素子により測定された支持面の非対称荷重Lを時間tの関数として示したグラフである。前記グラフは荷重がどのように人の支持面における移動に従って変動するかを示している。支持面にいる人が移動する場合に、測定された荷重が変動し、ロードセル素子は非対称的に荷重を測定する。
【００２５】
初回に測定された荷重を荷重基準とし、測定された次の荷重は荷重がどのように人の移動によって変動するかを説明する。測定された荷重は領域75の付近で増加し、これは、更に多くの荷重がロードセル素子に付加された位置まで人が移動したことを示すが、領域77において荷重が低減される。領域79において、荷重は人の小さな移動を示し、荷重基準のレベルに対して徐々に増加的に変動することを示す。荷重基準と現在の荷重との間の関係を判定することにより数値で人の移動を示すことができる。これは、現在の荷重から荷重基準を引いて数値的荷重差|LD|を算出することにより行われ、また図3bに示すように、結果の数値を採用してもよい。数値的荷重差|LD|が大きければ人の移動が多い。または、荷重基準を現在の荷重で除して移動指数を求めることができ、ただし、指数が１であれば、移動がないことを示す。
【００２６】
閾値は上限71と下限73を有するものとして規定されてもよい。これらの限界を超えると、警報が起動される。前記説明した図には、領域75と領域77において警報が起動されることが示されるが、これは、領域75において、これらの荷重値が上限71を超え、領域77には荷重値が下限73を超えるためである。単一の荷重値が閾値を超えることにより警報が起動されることを避けるために、連続的な荷重値の多くが閾値を超える場合に警報が起動されるように前記方法を調整してもよい。図3bには、数値的荷重差がゼロより小さい可能性がないため、上限71だけが規定されている。領域75においては、閾値を超える連続的な荷重値の数が3より大きくないため、警報が起動されない。しかし、領域77においては、下閾値を超える4番目の連続値であるため、荷重値76により、警報を起動させる。
【００２７】
支持面にいる人の移動は、図3aや図3bに示したグラフを微分することにより判定されてもよい。移動の活動度は微分曲線によって判定されてもよい。微分曲線の多数のゼロ交差は人が位置を頻繁に変えることを示している。また、大きな微分曲線は人が位置を迅速に変えることを示している。
【符号の説明】
【００２８】
10   フレーム
12   ロードセル素子
16   マイクロプロセッサ
17   コントロールパネル
18   警報システム
【図１】
2010510849.tif 000003
【図２】
2010510849.tif 000004
【図３ａ】
2010510849.tif 000005
【図３ｂ】
2010510849.tif 000006
【手続補正書】
【提出日】平成21年7月27日(2009.7.27)
【手続補正１】
【補正対象書類名】明細書
【補正対象項目名】００２５
【補正方法】変更
【補正の内容】
【００２５】
初回に測定された荷重を荷重基準とし、測定された次の荷重は荷重がどのように人の移動によって変動するかを説明する。測定された荷重は領域705の付近で増加し、これは、更に多くの荷重がロードセル素子に付加された位置まで人が移動したことを示すが、領域707において荷重が低減される。領域709において、荷重は人の小さな移動を示し、荷重基準のレベルに対して徐々に増加的に変動することを示す。荷重基準と現在の荷重との間の関係を判定することにより数値で人の移動を示すことができる。これは、現在の荷重から荷重基準を引いて数値的荷重差|LD|を算出することにより行われ、また図3bに示すように、結果の数値を採用してもよい。数値的荷重差|LD|が大きければ人の移動が多い。または、荷重基準を現在の荷重で除して移動指数を求めることができ、ただし、指数が１であれば、移動がないことを示す。
【手続補正２】
【補正対象書類名】明細書
【補正対象項目名】００２６
【補正方法】変更
【補正の内容】
【００２６】
閾値は上限711と下限713を有するものとして規定されてもよい。これらの限界を超えると、警報が起動される。前記説明した図には、領域705と領域707において警報が起動されることが示されるが、これは、領域705において、これらの荷重値が上限711を超え、領域707には荷重値が下限713を超えるためである。単一の荷重値が閾値を超えることにより警報が起動されることを避けるために、連続的な荷重値の多くが閾値を超える場合に警報が起動されるように前記方法を調整してもよい。図3bには、数値的荷重差がゼロより小さい可能性がないため、上限711だけが規定されている。領域705においては、閾値を超える連続的な荷重値の数が3より大きくないため、警報が起動されない。しかし、領域707においては、下閾値を超える4番目の連続値であるため、荷重値715により、警報を起動させる。
【国際調査報告】
2010510849.tif 000007
2010510849.tif 000008
2010510849.tif 000009